(57)【特許請求の範囲】
【請求項１】
履物の、弾性体よりなる履物台の表面または底面に、複数の直線状の溝よりなる溝の群を複数設け、それぞれの溝の群は履物台の縦中心線に対して交互に反対方向に傾斜して設けてなり、前記各群の溝は、前記履物を使用しての歩行時に、前記履物台の踵部から前方に向けて、順次、前記複数の溝の開口縁が開いていくか、または閉じていくことによって、前記履物台を湾曲させ、前記各溝の群毎に、互いにねじれる動作を発生させる、履物。
【請求項２】
履物の、弾性体よりなる履物台の表面または底面に、複数の直線状の溝よりなる溝の群を４群設け、それら４群の溝の群の内、２つづつの溝の群が履物台の縦中心線に対して互いに反対方向に傾斜し、かつ、履物台の側縁寄りにおいて全ての溝または一部の溝が交叉し、それら２つづつの溝の群の交叉側が履物台の反対側縁寄りとしてなり、前記各群の溝は、前記履物を使用しての歩行時に、前記履物台の踵部から前方に向けて、順次、前記複数の溝の開口縁が開いていくか、または閉じていくことによって、前記履物台を湾曲させ、前記各溝の群毎に、互いにねじれる動作を発生させる、履物。
【請求項３】
各溝の群の各溝の間隔は、同じであるか、または、一方から他方に順次広がることを特徴とする請求項１または２に記載の履物。
【発明の詳細な説明】
【０００１】
【産業上の利用分野】
この発明は健康履物に関するものである。
【０００２】
【従来の技術】
従来、天板の表面に、足裏の凹凸に合わせた高低の多数の突起を設け、使用時体重により突起が足裏を刺激する健康サンダルがある。
【０００３】
【発明が解決しようとする課題】
上記従来の健康サンダルは、常時使用していると突起が常に足裏を押し摩擦するので、足裏の皮膚が角質化する。いわゆる足裏に「タコ」が出来、足裏の皮膚の感覚が麻痺する。
ところが、足裏には多くの「つぼ」があるので足裏の皮膚感覚が麻痺すると、各種の健康障害を起こすことになる。
【０００４】
最近の研究により、歩行時には、順次、踵−足裏の外側側方−小指外側−爪先−親指内側が接地するのを繰り返すか、または、その逆回りを繰り返すのが健康によく、また、Ｏ脚またはＸ脚の矯正にもなることが判明した。
【０００５】
この発明は、常時使用しても、足裏の皮膚が角質化せず、歩行時には、意識しないでも自然に、順次、踵−足裏の外側側方−小指外側−爪先−親指内側が接地するのを繰り返すか、または、その逆回りを繰り返して、足裏を巡回して刺激する新しい健康法に適合し、Ｏ脚またはＸ脚の矯正にも役立つ履物を提供することを目的とする。
【０００６】
【課題を解決するための手段】
履物の、弾性体よりなる履物台の表面または底面に、複数の直線状の溝よりなる溝の群を複数設け、それぞれの溝の群は履物台の縦中心線に対して交互に反対方向に傾斜して設けて、前記各群の溝は、前記履物を使用しての歩行時に、前記履物台の踵部から前方に向けて、順次、前記複数の溝の開口縁が開いていくか、または閉じていくことによって、前記履物台を湾曲させ、前記各溝の群毎に、互いにねじれる動作を発生させる。
【０００７】
履物の、弾性体よりなる履物台の表面または底面に、複数の直線状の溝よりなる溝の群を４群設け、それら４群の溝の群の内、２つづつの溝の群が履物台の縦中心線に対して互いに反対方向に傾斜し、かつ、履物台の側縁寄りにおいて全ての溝または一部が交叉し、それら２つづつの溝の群の交叉側が履物台の反対側縁寄りとし、前記各群の溝は、前記履物を使用しての歩行時に、前記履物台の踵部から前方に向けて、順次、前記複数の溝の開口縁が開いていくか、または閉じていくことによって、前記履物台を湾曲させ、前記各溝の群毎に、互いにねじれる動作を発生させる。
【０００８】
各溝の群の各溝の間隔は、同じであるか、または、一方から他方に順次広がるようにするのが好ましい。
【０００９】
【作用】
一般に、履物の使用時には、履物台の底面において、先ず踵部が接地し、次いで中間部が接地し踵部は地面から離れ、さらに先端部が接地して中間部が地面より離れ、最後に先端部が地面よりはなれて履物台全部が地面より離れる。
【００１０】
履物台の底面に複数の溝の群を設けた場合には、上記の動きの間に、踵に近い溝から先端の溝が順次その上方開口縁が開き、履物台は反り返り湾曲する。その際、それぞれの溝の群が履物台の縦中心線に対して交互に反対方向に傾斜しているので、履物台はねじれた状態に湾曲する。
【００１１】
それぞれの溝の群において、複数の溝間の幅が一端から他方へ順次拡大している場合には、間隔の狭い方の縁部を中心として履物台は反り返る。
【００１２】
履物台の表面に複数の溝の群を設けた場合には、上記の動きの間に、踵に近い溝から先端の溝が順次その開口縁が接して閉じて行き、履物台は反り返り湾曲する。その湾曲は、それぞれの溝の群が履物台の縦中心線に対して交互に反対方向に傾斜しているので、履物台はねじれた状態に湾曲する。
【００１３】
それぞれの溝の群において、複数の溝間の幅が一端から他方へ順次拡大している場合には、間隔の狭い方の縁部が強く反り返る。
【００１４】
履物台の上記反り返った湾曲により、足の重心は、溝の傾斜方向により、踵−土踏まず側方−小指−親指、または、踵−土踏まずの上下−親指−小指へと移行し、歩行によりそれを繰り返す。それにより、足裏を巡回して刺激するとともに、膝を外方向と内方向へ交互に押す。
【００１５】
【実施例】
この発明に係る実施例を図面により説明する。
図１は右足用の履物台１の底面図である。
【００１６】
本底等接地する部材である履物台１は、天然または合成のゴム、発泡樹脂等弾性体よりなり、その底面に、先端部内側縁より先端部斜外側縁に至る複数本の溝２と、外側縁の中間、好ましくはやや先端寄りより、内側縁の中間、好ましくはやや先端寄りに至る複数の溝３と、外側縁のほぼ中間から踵部附近の内側縁に至る複数の溝４を有する。
【００１７】
溝２、３、４の群のそれぞれの溝は、履物台１の縦中心線に対して直交せずに傾斜するものとし、溝２の群の溝と溝３の群の溝とは反対方向に傾斜し、溝４の群の溝は溝３の群の溝とは反対方向に、溝２の群の溝とは同方向に傾斜するものとする。
それぞれの溝は直線状である。
【００１８】
複数の溝２の群は、それぞれの溝２の間隔が、平行であるか、または、履物台１の内側縁より先端部斜外側縁に至るに従って間隔が開くものとする。
【００１９】
複数の溝３の群は、それぞれの溝３の間隔が、平行であるか、または、履物台１の外側縁より内側縁に至るに従って間隔が開くものとする。
【００２０】
複数の溝４の群は、それぞれの溝４の間隔が、ほぼ等しいか、または、履物台１の外側縁より内側縁に至るに従って間隔が開くものとする。
【００２１】
複数の溝２および３のそれぞれの溝の開口縁の幅は、同じとするか、または、それぞれの溝の間隔が拡がる方向に順次広くなるものとする。
【００２２】
複数の溝４のそれぞれの溝の開口縁の幅は、それぞれの溝が平行の場合には、同じ幅とするか、または、履物台１の踵部から中間部に至るに従って広くし、それぞれの溝４の間隔が順次拡がる場合には、それぞれの溝４の開口縁の幅は同じか、または、それぞれの溝４の間隔が拡がる方向に、順次広くなるものとする。
【００２３】
それぞれの溝２、３、４の断面形状は、溝に土や小石が入っても止まり詰まらないように、Ｖ字形、Ｕ字形やほぼ半円形にするのが好ましい。
【００２４】
左足用の履物台は、上記右足用の履物台１と対称の構造とする。
【００２５】
履物台１にベルト５、鼻緒、胛部等を取り付けて履物とする。
【００２６】
この発明に係る履物を着用して歩行した場合を、上記右足用履物台１を使用した右足用履物について説明する。
【００２７】
一般に歩行の場合には履物の踵部が接地し、順次先端部方向に接地し、その際踵部から順次地面から離れ、最後に履物の裏面が全部地面から離れる。
【００２８】
従って、履物台１においては、踵部が接地し、次いで土踏まずの左側に対応する部分が接地したときには、溝４の群は、踵から中間方向の溝が順次それぞれの溝４の両開口縁の間隔が開き、履物台１のそれらの部分が反り返って曲がる。
溝４の群のそれぞれの溝４の間隔が上記のとおり順次拡がっている場合には、溝４の間隔が拡がる方向に従って、各溝４の開口縁間隔が拡がり、各溝４間の間隔の狭い方の履物台縁部を中心として湾曲し、履物台１は反り返る。
足の重心は、踵部外周縁から外側縁中間部にかかる。
【００２９】
次いで、足の重心が前方へ移行し土踏まずの側方に対応する部分に達すると、溝３の群のそれぞれの溝３は、順次中間から先端方向の溝３の両開口縁の間隔が開き、履物台１のそれらの部分が反り返る。この場合前記溝４について説明したのと同様に、溝３の群のそれぞれの溝３の間隔が拡がる方向に従って、各溝３の開口縁間隔が拡がり、各溝３間の間隔の狭い方の履物台縁部を中心として湾曲し、履物台１は反り返る。
足の重心は外側中間部にかかる。
【００３０】
溝４の群と溝３の群とは、履物台１の縦中心線に対して互いに反対方向に傾斜しているので、履物台１は、溝４の群のある部分と溝３の群のある部分とはねじれた状態で反り返る。
【００３１】
更に足の重心が履物台１の先端部に移行すると、溝２の群の内部から先端方向への溝２が順次それぞれ溝の開口縁の間隔が開き、履物台１は反り返り湾曲する。この際溝３について上記説明したのと同様に、溝２の群のそれぞれの溝２の間隔が拡がる方向に従って、各溝２の開口縁間隔が拡がり、各溝２間の間隔の狭い方の履物台縁部を中心として湾曲し、履物台１は反り返る。
足の重心は、先端部外側から先端部内側すなわち親指に対応する部分に移る。
【００３２】
溝３の群と溝２の群とは、履物台１の縦中心線に対して互いに反対方向に傾斜しているので、履物台１は、溝３の群のある部分と溝２の群の有る部分とはねじれた状態で反り返る。
【００３３】
上記のとおり履物台１が湾曲するので、足裏は、履物台１の湾曲に従って踵から外側中間より先端部を回って先端部内側を強く押すことになる。また、これにより、膝は、足裏が外側中間を押すときには外方向へ、足裏が先端部内側を押すときには内方向に押される。歩行の連続により上記の作用が繰り返される。
【００３４】
図３は各溝の傾斜、間隔を図１に示す履物台１と反対に設けた右足用の履物台１ａの底面図である。
【００３５】
履物台１ａは、ゴム、発泡樹脂等弾性体よりなり、その底面に、先端部外側縁より先端部斜内側縁に至る複数本の溝２ａと、内側縁の中間、好ましくはやや先端寄りより、外側縁の中間、好ましくはやや先端寄りに至る複数の溝３ａと、内側縁の中間から踵部附近の外側縁に至る複数の溝４ａを有する。
それぞれの溝は直線状である。
【００３６】
溝２ａ、３ａ、４ａの群のそれぞれの溝は、履物台１の縦中心線に対して直交せずに傾斜するものとし、溝２ａの群の溝と溝３ａの群の溝とは反対方向に傾斜し、溝４ａの群の溝は溝３ａの群の溝とは反対方向に、溝２ａの群の溝とは同方向に傾斜するものとする。
【００３７】
複数の溝２ａの群は、それぞれの溝２ａの間隔が、平行であるか、または、履物台１ａの外側縁より先端部斜内側縁に至るに従って間隔が開くものとする。
【００３８】
複数の溝３ａの群は、それぞれの溝３ａの間隔が、平行であるか、または、履物台１ａの内側縁より外側縁に至るに従って間隔が開くものとする。
【００３９】
複数の溝４ａの群は、溝４ａの間隔が、平行であるか、または、履物台１ａの内側縁より外側縁に至るに従って間隔が開くものとする。
【００４０】
それぞれの溝の群において、それぞれの溝の開口縁の幅は、同じ幅とするか、または、それぞれの溝において傾斜する踵方向から先端方向に至るに従って順次広くなるものとする。それぞれの溝２ａ、３ａ、４ａの断面形状は、溝に土や小石が入っても止まり詰まらないように、Ｖ字形、Ｕ字形やほぼ半円形にするのが好ましい。
【００４１】
左足用の履物台は、上記右足用の履物台１ａと対称である。
【００４２】
履物台１ａにベルト、鼻緒、胛部等を取り付けて履物とする。
履物台１ａを設けた履物を使用した場合の、履物台１ａにおける足の重心の移行および履物台１ａの湾曲、膝への作用は、前記履物台１について説明したのと対称的である。
【００４３】
各溝の群を、履物台の表面に設けてもよい。
図４は、溝を表面に設けた左足用の履物台６の平面図である。
【００４４】
履物台６は、天然または合成のゴム、発泡樹脂等弾性体よりなり、その表面に、先端部内側縁より先端部斜外側縁に至る複数本の溝７と、外側縁の中間、好ましくはやや先端寄りより、内側縁の中間、好ましくはやや先端寄りに至る複数の溝８と、外側縁のほぼ中間から踵部附近の内側縁に至る複数の溝９を有する。
【００４５】
溝７、８、９の群のそれぞれの溝は、履物台６の縦中心線に対して直交せずに傾斜するものとし、溝７の群の溝と溝８の群の溝とは反対方向に傾斜し、溝９の群の溝は溝８の群の溝とは反対方向に、溝７の群の溝とは同方向に傾斜するものとする。
それぞれの溝は直線状である。
【００４６】
複数の溝７の群は、それぞれの溝７の間隔が、平行であるか、または、履物台６の内側縁より先端部斜外側縁に至るに従って間隔が開くものとする。
【００４７】
複数の溝８の群は、それぞれの溝８の間隔が、平行であるか、または、履物台６の外側縁より内側縁に至るに従って間隔が開くものとする。
【００４８】
複数の溝９の群は、それぞれの溝９の間隔が、平行であるか、または、履物台６の外側縁より内側縁に至るに従って間隔が開くものとする。
【００４９】
複数の溝７、８、９のそれぞれの溝の両開口上縁は、平行とするか、または、それぞれの溝の間隔が拡がる方向に順次広くなるものとする。
【００５０】
それぞれの溝７、８、９の断面形状は、溝に土や小石が入っても止まり詰まらないように、Ｖ字形、Ｕ字形やほぼ半円形にするのが好ましい。
【００５１】
右足用の履物台は、上記左足用の履物台６と対称の構造とする。
【００５２】
履物台６に、鼻緒用の孔１０を設けて鼻緒（図示せず）を取り付け、サンダルまたはスリッパとする。
この場合、歩行時に皮膚が溝の上縁で挟まれないように、履物台６の表面を可撓性のシートで覆うのが好ましい。
【００５３】
孔１０を設けないで、図５に示すように、履物台６を上底として本底１１の上に重ね、ベルト１２を履物台６と本底１１で挟み、それぞれを接着固定して、サンダルまたはスリッパとする。
この場合も、歩行時に皮膚が溝の上縁で挟まれないように、履物台６の表面を可撓性のシートで覆うのが好ましい。
【００５４】
ベルト１２の代わりに、胛皮や周部を取り付けて、靴としても良い。
この場合も、歩行時に皮膚が溝の開口上縁で挟まれないように、履物台６の表面を可撓性のシートで覆うか、または、可撓性の中敷を用いるのが好ましい。
【００５５】
履物台６を用いた履物を着用して歩行した場合を、上記左足用履物台６を使用した左足用履物について説明する。
【００５６】
履物台６においては、踵部が接地し、次いで土踏まずの左側に対応する部分が接地したときには、溝９の群は、踵から中間方向の溝が順次それぞれの溝９の両開口上縁が接して閉じ、履物台６のそれらの部分が反り返って曲がる。
溝９の群のそれぞれの溝９の間隔が上記のとおり順次拡がっている場合には、溝９の間隔の狭い履物台６の外側縁中間程強く湾曲する。
足の重心は、踵部外周縁から外側縁中間部にかかる。
【００５７】
次いで、足の重心が前方へ移行し土踏まずの側方に対応する部分に達すると、溝８の群のそれぞれの溝８は、順次中間から先端方向の溝８の両開口上縁が接して閉じ、履物台６のそれらの部分が反り返る。この場合前記説明したのと同様に、それぞれの溝８の間隔の狭い履物台６の外側中間部が強く湾曲する。
足の重心は外側中間部にかかる。
【００５８】
更に足の重心が履物台６の先端部に移行すると、溝７の群の内部から先端方向への溝７が順次それぞれの溝の開口上縁が接して閉じ、履物台６が反り返り湾曲する。この際各溝７の間隔の狭い程強く湾曲するので、先端部の内側側縁部が強く湾曲する。
足の重心は、先端部外側から先端部内側すなわち親指に対応する部分に移る。
【００５９】
溝７、８、９の群は、履物台６の縦中心線に対して交互に反対方向に傾斜しているので、履物台６は、溝７の群のある部分と溝８のある部分および溝９のある部分とはねじれた状態で反り返り湾曲する。
【００６０】
上記のとおり履物台６が湾曲するので、足裏は、履物台６の湾曲に従って踵から外側中間より先端部を回って先端部内側を強く押すことになる。また、これにより、膝は、足裏が外側中間を押すときには外方向へ、足裏が先端部内側を押すときには内方向へ押される。歩行の連続により上記の作用が繰り返される。
【００６１】
図６は各溝の傾斜を、溝を図４に示す履物台６と対称に設けた左足用の履物台６ａの平面図である。
【００６２】
履物台６ａは、その表面に、先端部外側縁より先端部斜内側縁に至る複数本の溝７ａと、内側縁の中間、好ましくはやや先端寄りより、外側縁の中間、好ましくはやや先端寄りに至る複数の溝８ａと、内側縁の中間から踵部附近の外側縁に至る複数の溝９ａを有する。
それぞれの溝は直線状である。
【００６３】
複数の溝７ａの群は、それぞれの溝７ａが平行か、または、履物台６ａの外側縁より先端部斜内側縁に至るに従って間隔が開くものとする。
【００６４】
複数の溝８ａの群は、それぞれの溝８ａが平行か、または、履物台６ａの内側縁より外側縁に至るに従って間隔が開くものとする。
【００６５】
複数の溝９ａの群は、それぞれの溝９ａが平行か、または、履物台６ａの外側縁より内側縁に至るに従って間隔が開くものとする。
【００６６】
複数の溝７ａ、８ａ、および９ａのそれぞれの溝の開口上縁は平行とするか、または、それぞれの溝の間隔が拡がる方向に順次開口上縁の幅が広くなるものとする。
【００６７】
右足用の履物台は、上記履物台６ａと対称である。
【００６８】
履物台６ａを設けた履物を使用した場合の、履物台６ａにおける足の重心の移行および履物台６ａの湾曲、膝への作用は、前記履物台６について説明したのと対称的である。
【００６９】
いずれの実施例においても、履物台１、１ａ、６、６ａにおいて、溝の群を、更に１または複数の群を追加して設けてもよく、または、溝４の群、溝４ａの群、溝９の群および溝９ａの群を省略して、溝２と３の２群、溝２ａと３ａの２群、溝７と８の２群、溝７ａと８ａの２群だけ設けてもよい。
【００７０】
図７は、他の実施例の履物台１３の表面または底面を表す。
履物台１３の先端から踵方向へ、第１の溝の群１４、第２の溝の群１５、第３の溝の群１６、第４の溝の群１７、および、第５の溝の群１８のそれぞれの溝は、履物台１３の縦中心線に対して傾斜している。
【００７１】
第１の溝の群１４と第２の溝の群１５とは、縦中心線に対して互いに反対方向に傾斜し、かつ、一方の側縁寄り、図７においては内側縁寄りにおいてそれら全ての溝または一部の溝が交叉する。
【００７２】
第３の溝の群１６と第４の溝の群１７とは、縦中心線に対して互いに反対方向に傾斜し、かつ、第１の溝の群１４と第２の溝の群１５との交叉側と反対の側縁寄り、図７においては外側縁寄りにおいてそれら全ての溝または一部の溝が交叉する。
【００７３】
第１の溝の群１４乃至第４の溝の群１７は、それぞれの群の中の溝間の間隔は、平行でもよいが、交叉側から他方へ順次間隔を拡げるのが好ましい。
【００７４】
第５の溝の群１８は、前記縦中心線に対して、第４の溝の群１７と同方向に傾斜する。
【００７５】
他方の足の履物台は、履物台１３と対称である。
【００７６】
上記いずれの実施例においても、図８に示すように、履物台１９の表面または底面の全ての溝の群２０、２１、２２において、溝の一端は履物台１９の周側に開口し、他端は他方周側に達せず、履物台の内部で終わる溝としてもよい。
ただし、少なくとも先端より第一番目の溝の群と第二の群の溝は、履物台の縦中心線に対して互いに反対方向に傾斜するものとする。
【００７７】
上記いずれの実施例においても、複数の溝の群において、一部の群の溝は一方の側縁から対向する側縁に達し、他の溝の群は一方の側縁から途中までで終わる溝としてもよい。
【００７８】
何れの実施例においても、それぞれの溝の群において、一部の溝を、両側縁に達せずに、内側に設けてもよい。
【００７９】
何れの実施例においても、複数の溝の群において、全部または一部の溝の群を、両側縁に達せずに、内側に設けてもよい。
【００８０】
何れの実施例においても、それぞれの溝の群において、一部の溝を、両側縁に達せずに、内側に設けてもよい。
【００８１】
【発明の効果】
この発明に係る健康履物は、使用時に履物台がねじれた状態で湾曲し、使用により自然に重心が足裏の周囲を巡回し、足裏を巡回して刺激し、新しい健康法に適合し、膝を外方向および内方向に交互に反復して押してＯ脚またはＸ脚の矯正に役立つ。
【図面の簡単な説明】
【図１】    履物台の底面図である。
【図２】  履物の側面図である。
【図３】  履物台の底面図である。
【図４】  履物台の平面図である。
【図５】  履物の側面図である。
【図６】  履物台の平面図である。
【図７】  履物台の平面図（底面図）である。
【図８】  履物台の平面図（底面図）である。
【符号の説明】
１    履物台
２、３、４    溝
５    ベルト
６    履物台
７、８、９  溝
１０  孔
１１  本底
１２  ベルト
１３  履物台
１４  第１の溝の群
１５  第２の溝の群
１６  第３の溝の群
１７  第４の溝の群
１８  第５の溝の群
１９  履物台
２０  溝の群
２１  溝の群
２２  溝の群
【図１】
0003800249.tif 000002
【図２】
0003800249.tif 000003
【図３】
0003800249.tif 000004
【図４】
0003800249.tif 000005
【図５】
0003800249.tif 000006
【図６】
0003800249.tif 000007
【図７】
0003800249.tif 000008
【図８】
0003800249.tif 000009